(57)【要約】【課題】  両タイマ間の通信対応がなされていないタイマの場合や通信対応がなされていても通信方法が異なる場合でも、溶接用タイマへ溶接デ―タを蓄積することができる溶接用タイマへ溶接デ―タを蓄積する方法及び装置を提供する。【解決手段】  通信制御装置２と一方の溶接用タイマとを接続し、通信制御装置内のタイマ種別認識切換器８のタイマ種別を一方の溶接用タイマに切換え、該一方の溶接用タイマに蓄積されている溶接デ―タを通信制御装置内の前記コンピュ―タ回路７に取り込み、次いでタイマ種別認識切換器のタイマ種別を蓄積すべき溶接用タイマに切換え、通信制御装置と蓄積すべき他方の溶接用タイマとを接続し、コンピュ―タ回路内に取り込んだ一方の溶接用タイマの溶接デ―タを蓄積すべき他方の溶接用タイマに送受信して該蓄積すべき溶接用タイマに蓄積するようにした溶接用タイマへ溶接デ―タを蓄積する方法及び装置。【選択図】  図２
2005334918.tif 000002
【特許請求の範囲】
【請求項１】
通信仕様の異なる２種の溶接用タイマで一方の溶接用タイマの溶接デ―タを他方の溶接用タイマへ追加蓄積する方法において、少なくとも、両方の溶接用タイマを選択していずれかにも接続し得る通信回路とコンピュ―タ回路と該コンピュ―タ回路へ接続するタイマ種別認識切換器とを備えた通信制御装置を用い、該通信制御装置と前記一方の溶接用タイマとを選択して接続し、通信制御装置内の前記タイマ種別認識切換器のタイマ種別を一方の溶接用タイマに切換え、該一方の溶接用タイマに蓄積されている溶接デ―タを通信制御装置内の前記コンピュ―タ回路に取り込み、次いでタイマ種別認識切換器のタイマ種別を蓄積すべき溶接用タイマに切換え、通信制御装置と蓄積すべき前記他方の溶接用タイマとを選択して接続し、前記コンピュ―タ回路内に取り込んだ一方の溶接用タイマの溶接デ―タを蓄積すべき他方の溶接用タイマに送受信して該蓄積すべき溶接用タイマに蓄積するようにしたことを特徴とする溶接用タイマへ溶接デ―タを蓄積する方法。
【請求項２】
通信仕様の異なる２種の溶接用タイマで一方の溶接用タイマの溶接デ―タを他方の溶接用タイマへ追加蓄積する方法において、少なくとも、一方の溶接用タイマへ接続する第１通信回路とコンピュ―タ回路と他方の溶接用タイマへ接続する第２通信回路と前記コンピュ―タ回路へ接続するタイマ種別認識切換器とを備えた通信制御装置を用い、該通信制御装置と一方の溶接用タイマとを接続し、通信制御装置内の前記タイマ種別認識切換器のタイマ種別を一方の溶接用タイマに切換え、一方の溶接用タイマに蓄積されている溶接デ―タを通信制御装置内の前記コンピュ―タ回路に取り込み、次いでタイマ種別認識切換器のタイマ種別を蓄積すべき溶接用タイマに切換え、通信制御装置と蓄積すべき前記他方の溶接用タイマとを接続し、前記コンピュ―タ回路内に取り込んだ一方の溶接用タイマの溶接デ―タを蓄積すべき他方の溶接用タイマに送受信して該蓄積すべき溶接用タイマに蓄積するようにしたことを特徴とする溶接用タイマへ溶接デ―タを蓄積する方法。
【請求項３】
通信仕様の異なる２種の溶接用タイマで一方の溶接用タイマの溶接デ―タを他方の溶接用タイマへ追加蓄積する装置において、少なくとも、両方の溶接用タイマを選択していずれかにも接続し得る通信回路とコンピュ―タ回路と該コンピュ―タ回路へ接続するタイマ種別認識切換器とを備えた通信制御装置を、両方の溶接用タイマへ選択して通信できる通信回線で接続し得るようにしたことを特徴とする溶接用タイマへ溶接デ―タを蓄積する装置。
【請求項４】
通信仕様の異なる２種の溶接用タイマで一方の溶接用タイマの溶接デ―タを他方の溶接用タイマへ追加蓄積する装置において、少なくとも、一方の溶接用タイマへ接続する第１通信回路とコンピュ―タ回路と他方の溶接用タイマへ接続する第２通信回路と前記コンピュ―タ回路へ接続するタイマ種別認識切換器とを備えた通信制御装置を、一方の溶接用タイマと溶接デ―タを蓄積すべき他方の溶接用タイマへそれぞれの通信回線で接続し得るようにしたことを特徴とする溶接用タイマへ溶接デ―タを蓄積する装置。
【発明の詳細な説明】
【技術分野】
【０００１】
本発明は、通信仕様の異なる２種以上の溶接用タイマで一方の溶接用タイマが有する溶接デ―タを他方の溶接用タイマへ追加蓄積する方法及び装置に関するものである。
【背景技術】
【０００２】
従来、通信仕様の異なる２種以上の溶接用タイマで一方の溶接用タイマが有する溶接デ―タを他方の溶接用タイマへ追加蓄積するのに、両タイマが相互に通信ができるもので同種のタイマ間は簡単に溶接デ―タの移管ができたが、同種のタイマでも相互に通信ができないタイマ間は設定器にカ―ドを用いて溶接デ―タの複写をしてデ―タの移管を実施していた（例えば、特許文献１参照。）。
【０００３】
【特許文献１】特開昭６３ー２０３２８４号公報
【発明の開示】
【発明が解決しようとする課題】
【０００４】
ところで、前記従来技術のものにおいては、両タイマの通信方法に格別に差異のないものにおいては前述の如くタイマ同士の通信が可能であるが、タイマに通信対応がなされていない場合や、通信対応がなされていても通信方法が異なり（タイマがバ―ジョンアップ等による異種のもの）両タイマ間のデ―タの送受ができないような場合には、タイマ間の通信が困難であり、そのため溶接用タイマへの溶接デ―タの蓄積は人手による設定以外は実施が困難であり、しかもその蓄積するタイマに制限がある、という問題がある。
【０００５】
本発明は、従来の技術の有するこのような問題点に鑑みてなされたものであり、その目的とするところは、一方の溶接用タイマが有する溶接デ―タを通信制御装置に取り込み、該通信制御装置において前記取り込んだ溶接デ―タを他方の溶接用タイマが認識通信できるような通信方法に整合することにより、両タイマ間の通信対応がなされていないタイマの場合や通信対応がなされていても通信方法が異なりタイマ間のデ―タの送受ができないような場合でも、溶接用タイマへ溶接デ―タを蓄積することができ、運用上の工数低減が図れる溶接用タイマへ溶接デ―タを蓄積する方法及び装置を提供しようとするものである。
【課題を解決するための手段】
【０００６】
上記目的を達成するために、本発明における溶接用タイマへ溶接デ―タを蓄積する方法は、少なくとも、両方の溶接用タイマを選択していずれかにも接続し得る通信回路とコンピュ―タ回路と該コンピュ―タ回路へ接続するタイマ種別認識切換器とを備えた通信制御装置を用い、該通信制御装置と前記一方の溶接用タイマとを選択して接続し、通信制御装置内の前記タイマ種別認識切換器のタイマ種別を一方の溶接用タイマに切換え、該一方の溶接用タイマに蓄積されている溶接デ―タを通信制御装置内の前記コンピュ―タ回路に取り込み、次いでタイマ種別認識切換器のタイマ種別を蓄積すべき溶接用タイマに切換え、通信制御装置と蓄積すべき前記他方の溶接用タイマとを選択して接続し、前記コンピュ―タ回路内に取り込んだ一方の溶接用タイマの溶接デ―タを蓄積すべき他方の溶接用タイマに送受信して該蓄積すべき溶接用タイマに蓄積するようにしたことを特徴とするものである。
【０００７】
また、少なくとも、一方の溶接用タイマへ接続する第１通信回路とコンピュ―タ回路と他方の溶接用タイマへ接続する第２通信回路と前記コンピュ―タ回路へ接続するタイマ種別認識切換器とを備えた通信制御装置を用い、該通信制御装置と一方の溶接用タイマとを接続し、通信制御装置内の前記タイマ種別認識切換器のタイマ種別を一方の溶接用タイマに切換え、一方の溶接用タイマに蓄積されている溶接デ―タを通信制御装置内の前記コンピュ―タ回路に取り込み、次いでタイマ種別認識切換器のタイマ種別を蓄積すべき溶接用タイマに切換え、通信制御装置と蓄積すべき前記他方の溶接用タイマとを接続し、前記コンピュ―タ回路内に取り込んだ一方の溶接用タイマの溶接デ―タを蓄積すべき他方の溶接用タイマに送受信して該蓄積すべき溶接用タイマに蓄積するようにしたことを特徴とするものである。
【０００８】
また、本発明における溶接用タイマへ溶接デ―タを蓄積する装置は、少なくとも、両方の溶接用タイマを選択していずれかにも接続し得る通信回路とコンピュ―タ回路と該コンピュ―タ回路へ接続するタイマ種別認識切換器とを備えた通信制御装置を、両方の溶接用タイマへ選択して通信できる通信回線で接続し得るようにしたことを特徴とするものである。
【０００９】
また、少なくとも、一方の溶接用タイマへ接続する第１通信回路とコンピュ―タ回路と他方の溶接用タイマへ接続する第２通信回路と前記コンピュ―タ回路へ接続するタイマ種別認識切換器とを備えた通信制御装置を、一方の溶接用タイマと溶接デ―タを蓄積すべき他方の溶接用タイマへそれぞれの通信回線で接続し得るようにしたことを特徴とするものである。
【発明の効果】
【００１０】
本発明における溶接用タイマへ溶接デ―タを蓄積する方法及び装置では、一方の溶接用タイマが有する溶接デ―タを通信制御装置に取り込み、該通信制御装置において前記取り込んだ情報を溶接用タイマが認識通信できるような通信方法に整合することにより、両タイマ間の通信対応がなされていないタイマの場合や通信対応がなされていても通信方法が異なりタイマ間のデ―タの送受ができないような場合でも、他方の溶接用タイマへ溶接デ―タを追加蓄積することができて、運用上の工数低減が図れるものである。
【発明を実施するための最良の形態】
【００１１】
添付図面を参照して本発明の実施例について説明する。
図１は本発明に係る溶接機用通信制御方法及び装置を実施する要部の回路図、図２は本発明に係る通信制御装置の実施例の回路図である。
【００１２】
図１において、１は一方の溶接用タイマ、２は溶接機用通信制御装置、３は前記一方の溶接用タイマ１が有する溶接デ―タが追加蓄積される他方の溶接用タイマである。そして、両方の溶接用タイマ１，３と溶接機用通信制御装置２とは例えばシリアル通信ケ―ブルのような通信回線４でいずれにも選択されて接続され得るようになっている。そして、前記他方の溶接用タイマ３は１台に限らず複数のＮ台からなるものであってもよい。
【００１３】
前記溶接機用通信制御装置２は図２に示すように、主として，両方の溶接用タイマ１，３と溶接機用通信制御装置２との通信を行うための処理回路である例えばシリアル通信回路のような通信回路６と、一方の溶接用タイマ１と溶接機用通信制御装置２間及び溶接機用通信制御装置２と他方の溶接用タイマ３間の通信を行うための通信情報全体の制御を行うコンピュ―タ回路７と、通信するタイマの種別認識切換器８とを備えている。
【００１４】
また、前記コンピュ―タ回路７には、タイマの種別認識切換器８の外，一方又は他方の溶接用タイマ１又は３と溶接機用通信制御装置２間の通信エラ―が発生した場合の表示器９、その通信状態を示す表示器１０、溶接機用通信制御装置２から一方又は他方の溶接用タイマ１又は３と送受信する場合の送受信スイッチ１１等が設けられている。
【００１５】
そして、前記通信回路６が両方に溶接用タイマ１，３のいずれにも選択されて接続され得る前記通信回線４は、前記シリアル通信ケ―ブルに限らず他の普通に知られている光線，音波等を用いた通信回線であってもよい。
【００１６】
以上のような構成からなり、通信仕様の異なる２種以上の溶接用タイマで一方の溶接用タイマ１の溶接デ―タを他方の溶接用タイマ３へ追加蓄積する溶接機の通信制御において、通信回線４を一方の溶接用タイマ１に接続し、タイマの種別認識切換器８のタイマ種別を一方の溶接用タイマ１に切換えスイッチ１１をタイマ→通信制御装置に入れることにより、一方の溶接用タイマ１から送られる溶接デ―タは通信回線４を経て溶接機用通信制御装置２内の通信回路６を経由しコンピュ―タ回路７に取り込まれる。
【００１７】
このコンピュ―タ回路７に取り込んだ溶接デ―タは、タイマの種別認識切換器８のタイマ種別を蓄積すべき他方の溶接用タイマ３に切換えることにより、該コンピュ―タ回路７内で他方の溶接用タイマ３が認識通信できるような通信方法に整合される。そして、前記溶接機用通信制御装置２内の通信回路６と蓄積すべき前記他方の溶接用タイマ３とを選択して通信回線４で接続しスイッチ１１を通信制御装置→タイマに入れることにより、前記整合された溶接デ―タはコンピュ―タ回路７から通信回路６と通信回線４を経由して他方の溶接用タイマ３に取り込まれ蓄積される。
【００１８】
以上のような溶接用タイマへ溶接デ―タを蓄積する方法及び装置では、両タイマが相互に通信ができるべく通信対応がなされていても通信方法が異なり（タイマがバ―ジョンアップ等による異種のもの）両タイマ間のデ―タの送受が困難なような場合に、上述の溶接機用通信制御装置２を用いることにより、一方の溶接用タイマ１の溶接デ―タを他方の溶接用タイマ３へ簡単に追加蓄積することができるのである。
【００１９】
図３は本発明に係る溶接機用通信制御方法及び装置を実施する他の実施例の要部の回路図、図４はそれに用いる通信制御器の実施例の回路図である。
【００２０】
図３において、２１は一方の溶接用タイマ、２２は溶接機用通信制御装置、２３は前記一方の溶接用タイマ２１が有する溶接デ―タが追加蓄積される他方の溶接用タイマである。そして、一方の溶接用タイマ２１と溶接機用通信制御装置２２とは例えばシリアル通信ケ―ブルのような通信回線２４で、溶接機用通信制御装置２２と他方の溶接用タイマ２３とも例えばシリアル通信ケ―ブルのような通信回線２５でそれぞれ接続されている。そして、通信回路の接続としては、図３（ａ）のように溶接機用通信制御装置２２に対して個々のタイマ２１又は２３を別個に接続する場合と、図３（ｂ）のように溶接機用通信制御装置２２に対して両タイマ２１，２３を同時に接続しておく場合とがある。
【００２１】
前記溶接機用通信制御装置２２は図４に示すように、主として，一方の溶接用タイマ２１と溶接機用通信制御装置２２との通信を行うための処理回路である例えばシリアル通信回路のような第１通信回路２６と、一方の溶接用タイマ２１と溶接機用通信制御装置２２間及び溶接機用通信制御装置２２と他方の溶接用タイマ２３間の通信を行うための通信情報全体の制御を行うコンピュ―タ回路２７と、溶接機用通信制御装置２２と他方の溶接用タイマ２３との通信を行うための処理回路である例えばシリアル通信回路のような第２通信回路２８と、通信するタイマの種別認識切換器２９とを備えている。そして、前記第１通信回路２６は一方の溶接用タイマ２１に対応し、第２通信回路２８は他方の溶接用タイマ２３に対応するような異なる通信回路である。
【００２２】
また、前記コンピュ―タ回路２７には、タイマの種別認識切換器２９の外，一方の溶接用タイマ２１と溶接機用通信制御装置２２間の通信エラ―が発生した場合の表示器３０、一方の溶接用タイマ２１と溶接機用通信制御装置２２間の通信状態を示す表示器３１、溶接機用通信制御装置２２と他方の溶接用タイマ２３間の通信エラ―が発生した場合の表示器３２、他方の溶接用タイマ２３と溶接機用通信制御装置２２間の通信状態を示す表示器３３、溶接機用通信制御装置２２から他方の溶接用タイマ２３で通信をする場合の送受信スイッチ３５、一方の溶接用タイマ２１と溶接機用通信制御装置２２間で通信をする場合の送受信スイッチ３４等が接続されている。
【００２３】
そして、前記第１通信回路２６が一方の溶接用タイマ２１と前記通信回線２４で、前記第２通信回路２８が他方の溶接用タイマ２３と前記通信回線２５で接続されているのであるが、通信回線２４，２５は前述のシリアル通信ケ―ブルに限らず他の普通に知られている光線，音波等を用いた通信回線であってもよい。
【００２４】
以上のような構成からなり、溶接デ―タ仕様の異なる２種以上の溶接用タイマで一方の溶接用タイマ２１の溶接デ―タを他方の溶接用タイマ２３へ追加蓄積する溶接機の通信制御において、通信回線２４を一方の溶接用タイマ２１に接続し、タイマの種別認識切換器２９のタイマ種別を一方の溶接用タイマ２１に切換えスイッチ３４をタイマ→通信制御装置に入れることにより、一方の溶接用タイマ２１から送られる溶接デ―タは通信回線２４を経て溶接機用通信制御装置２２内の第１通信回路２６を経由しコンピュ―タ回路２７に取り込まれる。
【００２５】
このコンピュ―タ回路２７に取り込んだ溶接デ―タは、タイマの種別認識切換器２９のタイマ種別を蓄積すべき他方の溶接用タイマ２３に切換えることにより、該コンピュ―タ回路２７内で他方の溶接用タイマ２３が認識通信できるような通信方法に整合される。そして、スイッチ３５を通信制御装置→タイマに入れることにより前記整合された溶接デ―タは前記コンピュ―タ回路２７から溶接機用通信制御装置２２内の第２通信回路を経て通信回線２５から他方の溶接用タイマ２３に送信され、該他方の溶接用タイマ２３に取り込まれて蓄積される。
【００２６】
この実施例のような溶接用タイマへ溶接デ―タを蓄積する方法及び装置では、両タイマが相互に通信ができる通信対応がなされていなくとも、それぞれのタイマに対応する通信回路２６，２８を配置し且つタイマの種別認識切換器２９を用いることにより、一方の溶接用タイマ２１が有する溶接デ―タは、タイマ種別認識切換器２９を一方の溶接用タイマ２１に切換えることにより簡単に通信制御装置２２に取り込まれ、さらに通信制御装置２２において前記取り込んだ溶接デ―タを他方の溶接用タイマ２３が認識通信できるような通信方法に整合することにより、両タイマ間の通信対応がなされていないタイマで通信方法が異なりタイマ間のデ―タの送受ができないような場合でも、上述の溶接機用通信制御装置２２を用いることにより、一方の溶接用タイマ２１の溶接デ―タを他方の溶接用タイマ２３へ簡単に追加蓄積することができるのである。
【図面の簡単な説明】
【００２７】
【図１】図１は本発明に係る溶接機用通信制御方法及び装置を実施する要部の回路図である。
【図２】図２は本発明に係る通信制御装置の実施例の回路図である。
【図３】図３は本発明に係る溶接機用通信制御方法及び装置を実施する他の実施例の要部の回路図であり、タイマの接続手段が異なる図３（ａ）と図３（ｂ）とを示す。
【図４】図４はそれに用いる通信制御装置の実施例の回路図である。
【符号の説明】
【００２８】
１，２１          一方の溶接用タイマ
２，２２          通信制御装置
３，２３          他方の溶接用タイマ
４，２４，２５    通信回線
６                通信回路
７，２７          コンピュ―タ回路
８，２９          タイマ種別認識切換器
２６              第１通信回路
２８              第２通信回路
【図１】
2005334918.tif 000003
【図２】
2005334918.tif 000004
【図３】
2005334918.tif 000005
【図４】
2005334918.tif 000006